【事件の表示】
　特願２０１９−　３１１３０「遊技機」拒絶査定不服審判事件〔令和　１年　５月１６日出願公開、特開２０１９−　７２６１９〕について、次のとおり審決する。
【結　論】
　本件審判の請求は、成り立たない。
【理　由】
第１　手続の経緯
　本件に係る出願（以下「本願」という。）は、平成３１年２月２５日の出願であって、令和１年９月３日付けで拒絶の理由が通知され、同年１１月８日に意見書が提出され、令和２年１月２９日付け（送達日：同年２月４日）で拒絶査定（以下「原査定」という。）がなされ、これに対し、同年４月２７日に拒絶査定不服審判の請求がなされたものである。
第２　本願発明
　本願の請求項１及び２に係る発明は、願書に最初に添付された特許請求の範囲の請求項１及び２に記載された事項によって特定されるものであるところ、その請求項１に係る発明（以下「本願発明」という。）は、以下のとおりのものである（なお、記号ＡないしＥは、分説するため合議体が付した。）。
「Ａ　主表示装置と、
　Ｂ　前記主表示装置の手前側に設けられ、画像が表示されていない部分が光透過性を有する副表示装置と、
　Ｃ　演出時における発光部の光量を、遊技者の任意で増減させることが可能な光量調整機能と、
　を備え、
　Ｄ　前記光量調整機能により光量の調整がなされる際、光量の増減に伴って、前記副表示装置に表示される補助画像の明るさが変化する
　Ｅ　ことを特徴とする遊技機。」
　　
第３　拒絶査定の拒絶の理由の概要
　原査定の拒絶の理由は、概略、次のとおりである。
（進歩性）この出願の請求項１及び２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
＜引用文献等一覧＞
１．特開２０１６−１１６５８６号公報
２．特開２０１８−１７５９９７号公報（周知技術を示す文献）
３．特開２０１７−６４２７４号公報（周知技術を示す文献）
第４　引用例の記載、引用発明及び周知技術
１　引用例
　原査定の拒絶の理由に引用文献１として引用され、本願の出願前に電気通信回線を通じて公衆に利用可能となった特開２０１６−１１６５８６号公報（平成２８年６月３０日公開）（以下「引用例」という。）には、遊技機（発明の名称）に関し、次の事項が図とともに記載されている。なお、下線は合議体が付した。以下同じ。
（１）「【実施例１】
【００１５】
　まず、本発明の遊技機の一例であるパチンコ遊技機の全体の構成について説明する。図１はパチンコ遊技機１を正面からみた正面図である。尚、以下の説明において、図１の手前側（遊技者側）をパチンコ遊技機１の前面側（前方側）、奥側（内方側）を背面側（後方側）として説明する。尚、本実施例におけるパチンコ遊技機１の前面とは、遊技者側からパチンコ遊技機１を見たときに該遊技者と対向する対向面である。
【００１６】
　
パチンコ遊技機１は、縦長の方形状に形成された外枠１００と、外枠１００に開閉可能に取り付けられた前面枠１０１と、で主に構成されている。
　・・・略・・・
【００２１】
　ガラス扉枠１０２の背面には、
前面枠１０１に対して着脱可能に取り付けられた遊技盤６が配置されている
【００２２】
　遊技領域７の中央付近には、それぞれが演出用の演出図柄（演出図柄ともいう）を変動（可変）表示する複数の変動表示領域を含む
演出表示装置（演出図柄表示装置）９が
遊技盤６に設けられた開口を介して目視できるように、該遊技盤６の背面に設けられている。
【００２３】
　また、演出表示装置９は、図８に示すように、遊技盤６から所定距離奥側（後方側）に配置されており、この
演出表示装置９の前面側（前方側）には、演出表示装置９の表示と連携されるエフェクト画像が表示される導光板ユニット１１が配置されている。
（２）「【００８１】
　次に、導光板ユニット１１の構造について図９から図１１を参照して詳述する。図９に示すように、導光板ユニット１１は、前述した演出表示装置９の表示画面と略同一寸法をなし、該演出表示装置９の表示画面を覆うことができる四角形状をなすユニットである。図１０に示すように、
導光板ユニット１１は、光を透過可能な透光性を有する第１導光板１１ａ及び第２導光板１１ｂを有している
該導光板１１ａ，１１ｂを介して演出表示装置９の表示画面を前面側から視認することができる
【００８２】
　なお、本実施例では、第１導光板１１ａが前面側に配置され、第２導光板１１ｂが背面側に配置されているが、両導光板１１ａ，１１ｂの離間距離は数ミリ程度となっており、各導光板１１ａ，１１ｂから演出表示装置９の表示画面までの所定距離Ｋ１は略同一であるとして以下に説明する。
【００８３】
　また、図１０及び図１１に示すように、
導光板ユニット１１は、各導光板１１ａ，１１ｂの端面に光を入射可能に設けられる発光体としての表示用ＬＥＤ６２ａ，６２ｂと、各導光板１１ａ，１１ｂの背面に所定の画像（静止画像）を表す態様にて設けられ、各導光板１１ａ，１１ｂの端面から内部に入射された表示用ＬＥＤ６２ａ，６２ｂからの入射光を誘導して前面から出射させることで画像を表示する反射部５１０，５１１と、
から主に構成されている。
　・・・略・・・
【００８８】
　図１０に示すように、第１導光板１１ａ及び第２導光板１１ｂは、所定の前後幅寸法（板厚（例えば、５ｍｍ））を有するアクリルやポリカーボネートなどの透明な合成樹脂板により正面視で横長の長方形状に形成されている。尚、導光板１１ａ，１１ｂは、透光性を有していれば必ずしも透明でなくても良く、例えば、着色されていても良いし、半透明とされていても良い。なお、導光板ユニット１１に代えて、透光性を有する表示手段（たとえば、透過型の液晶表示装置など）を用いてもよい。
【００８９】
　なお、第１導光板１１ａの背面には、表示用ＬＥＤ６２ａからの光を反射して前面から出射させるための反射部５１０が形成されている。この第１導光板１１ａには、図２２（ａ）に示す第１画像（星の画像）が反射部５１０として形成されている。
【００９０】
　また、第２導光板１１ｂの背面には、表示用ＬＥＤ６２ｂからの光を反射して前面から出射させるための反射部５１１が形成されている。この第２導光板１１ｂには、図２２（ｂ）に示す第２画像（稲妻の画像）が反射部５１１として形成されている。
【００９１】
　これら反射部５１０，５１１は、第１導光板１１ａと第２導光板１１ｂとがフレーム枠体５０４に差し込まれた状態で前後に重畳する位置に配置される。
【００９２】
　これら反射部５１０，５１１は、導光板１１ａ，１１ｂ内を導光される光の進行方向の断面視が一定ピッチの略三角波形状をなす凹凸状態（粗面）に形成されている。具体的には、スタンパーやインジェクションにより導光板１１ａ，１１ｂの背面に凹凸部をつける成型方式にて構成されているが、例えばアクリル板に白色インクで反射ドットを印刷したシルク印刷方式や、アクリル板と反射板とをドット状の粘着材で貼り付けた貼着ドット方式や、溝加工方式等により反射部を構成しても良い。
【００９３】
　尚、本実施例では、導光板１１ａ，１１ｂの背面における反射部５１０，５１１を光の進行方向の断面視が略三角波形状の凹凸部としているが、本発明はこれに限定されるものではなく、これら反射部５１０，５１１の断面形状を略半円形状等、光を前面に向けて反射可能な反射面を構成するものであれば種々に変形可能である。尚、これら反射部５１０，５１１は枠線で囲まれた絵柄の画像として表されているが、実際には枠線はなく、上記ドット等の集まりにより絵柄の画像が形成されている。
【００９４】
　また、本実施例では、導光板１１ａ，１１ｂにより表示可能とする表示情報として、絵柄が例示されているが、これら以外にも、文字、記号、図柄、あるいは模様等の装飾も含む他の表示情報を表示可能としても良い。
【００９５】
　また、上フレーム５０４ｄの上面開口には、表示用ＬＥＤ６２ａ，６２ｂが下面に設けられたＬＥＤ基板５１４が嵌合されている。このＬＥＤ基板５１４を配置することで、上フレーム５０４ｄに形成された前後のレンズ溝５１２ａ，５１２ｂの上面開口に表示用ＬＥＤ６２ａ，６２ｂが対向して配置される。なお、レンズ溝５１２ａ，５１２ｂには、前レンズ５０７ａ及び後レンズ５０７ｂが配置される。
【００９６】
　各表示用ＬＥＤ６２ａ，６２ｂから出射された出射光は、レンズ５０７ａ，５０７ｂの上端面に入射される。ここで、レンズ５０７ａ，５０７ｂの上端面の前後幅寸法Ｌ２と発光面の前後幅寸法Ｌ４とはほぼ同寸であるため（Ｌ２≒Ｌ４）、各表示用ＬＥＤ６２ａ，６２ｂからの出射光は、前後方向に拡散せずにほぼ上端面に入射される（図１１の部分拡大図参照）。
【００９７】
　レンズ５０７ａ，５０７ｂの上端面からレンズ５０７ａ，５０７ｂの内に入射された入射光は、下方の導光板１１ａ，１１ｂに向けて誘導される。ＬＥＤの光は指向性が高いが、レンズ５０７ａ，５０７ｂの上端面を通して入射されることで、入射光は左右方向に放射状に拡散される。そして、レンズ面として形成された下端面を通過する際に、鉛直下方に向けて屈折して出射されるようになっている（図１１の部分拡大図参照）。
【００９８】
　これにより、指向性が高い表示用ＬＥＤ６２ａ，６２ｂからの出射光を、レンズ５０７ａ，５０７ｂによりある程度左右方向に放射状に拡散させて発光領域を広げることが可能となるとともに、下端面から出射される光は鉛直下方に導光されて放射状に拡がることはないので、各表示用ＬＥＤ６２ａ，６２ｂに対応する鉛直下方領域のみを部分的に発光させることが可能となる。
【００９９】
　また、入射光は、下方の導光板１１ａ，１１ｂに向けて誘導されながら、前後（板厚）方向に全反射を繰り返し、該前後方向の略中央位置に向けて集光される。このように、表示用ＬＥＤ６２ａ，６２ｂからの光を前後幅（板厚）方向に拡散させることなく集光して導光板１１ａ，１１ｂの上端面に導くことができる。
【０１００】
　そして、入射光が反射部５１０，５１１に到達したときに、この反射部５１０，５１１により入射光が前面側に向けて反射されることで、遊技者からは、それぞれの反射部５１０，５１１に対応する箇所が反射光により発光されることで、所定の絵柄等の画像が表示されるようになる。
【０１０１】
　なお、前列側の表示用ＬＥＤ６２ａを点灯させた場合は、第１導光板１１ａの第１画像（図２２（ａ））が表示され、後列側の表示用ＬＥＤ６２ｂを点灯させた場合は、第２導光板１１ｂの第２画像（図２２（ｂ））が表示される。更に、前列側の表示用ＬＥＤ６２ａと後列側の表示用ＬＥＤ６２ａとを同時に点灯させることで、各導光板１１ａ，１１ｂの画像（第１画像と第２画像）を同時に表示させることもできる（図２２（ｃ））。」
（３）「【図２２】
　　　
」
（４）「【０２２５】
　図２０は、図１９に示された演出制御プロセス処理における演出図柄変動開始処理（ステップＳ８０１）を示すフローチャートである。
演出図柄変動開始処理において、
　・・・略・・・
【０２２８】
　そして、
ステップＳ８２３に進み、予告演出を実施するか否かとともに、実施を決定した予告演出に関する設定を行う予告演出設定処理を実施する
【０２２９】
　尚、本実施例では、
ＣＰＵ８６がステップＳ８２３において予告演出を実施すると決定すると、予告演出を第１導光板１１ａを用いた予告演出Ａ、第２導光板１１ｂを用いた予告演出Ｂ、第１導光板１１ａ及び第２導光板１１ｂを用いた予告演出Ｃのいずれかに決定する
【０２３０】
　予告演出Ａは、図２２（ａ）に示すように、表示用ＬＥＤ６２ａからの入射光を第１導光板１１ａに誘導することで、反射部５１０によって施された所定の画像としての第１導光板１１ａに多数の星が配置された画像を表示する演出であり、予告演出Ｂは、図２２（ｂ）に示すように、表示用ＬＥＤ６２ｂからの入射光を第１導光板１１ａに誘導することで、反射部５１０によって施された所定の画像としての第２導光板１１ｂに多数の稲妻状のパターンが配置された画像を表示する演出である。
【０２３１】
　また、予告演出Ｃは、図２２（ｂ）に示すように、表示用ＬＥＤ６２ａからの入射光を第１導光板１１ａに誘導することで、反射部５１０によって施された所定の画像としての第１導光板１１ａに多数の星が配置されたエフェクト画像を表示するとともに、表示用ＬＥＤ６２ｂからの入射光を第１導光板１１ａに誘導することで、反射部５１１によって施された所定の画像としての第２導光板１１ｂに多数の稲妻状のパターンが配置された画像を表示する演出である。
【０２３２】
　
尚、これら各予告演出においては、導光板１１の発光とともに、装飾ＬＥＤ２５ａ、ステージ装飾ＬＥＤ２５ｂ、天ランプモジュール５３０、左枠ＬＥＤ２８ｂ、右枠ＬＥＤ２８ｃ等も、所定の点灯パターンにて点灯され、バックライト９ｄも点灯されることで、演出表示装置９における表示も実行される
【０２３３】
　そして、ステップＳ８２４に進んで、予告演出の実施が決定されているか否か、具体的には、ステップＳ８２３の予告演出設定処理において予告演出の実施が決定されることでセットされる予告実行決定フラグがセットされているか否かを判定する。
【０２３４】
　予告実行決定フラグがセットされている場合には、ステップＳ８２５＋に進んで、予告演出開始待ち時間を特定し、該特定した待ち時間を予告演出開始待ちタイマにセットした後、ステップＳ８２５に進む。
【０２３５】
　尚、
予告演出開始待ちタイマは演出図柄変動中処理（ステップＳ８０２）内にて実行される予告演出処理を実行する毎に−１されるようになっており、該予告演出開始待ちタイマがタイマアウトすることでステップＳ８２３において設定された予告演出が開始されるようになっている
（５）「【０３３０】
　また、前記実施例では、演出表示装置９に設定調整画面が表示されている状態で
遊技者が操作ボタン５１６及び操作レバー６００を操作する
導光板ユニット１１の光量（表示用ＬＥＤ６２ａ，６２ｂから出力される光量）を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量とともに操作ボタン５１６及び操作レバー６００を操作することで調整可能としても良い
【０３３１】
　但し、この場合は、変形例３として図３９に示すように、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値が『１００％』である場合は、導光板ユニット１１から出力される光量の遊技者設定値を『１００％』に設定する。
【０３３２】
　そして、
操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『７５％』に設定した場合は、導光板ユニット１１から出力される光量の遊技者設定値を『９０％』に設定し、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『６５％』に設定した場合は、導光板ユニット１１から出力される光量の遊技者設定値を『８０％』に設定し、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『６５％』に設定した場合は、導光板ユニット１１から出力される光量の遊技者設定値を『８０％』に設定し、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『５０％』に設定した場合は、導光板ユニット１１から出力される光量の遊技者設定値を『７５％』に設定し、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『３０％』に設定した場合は、導光板ユニット１１から出力される光量の遊技者設定値を『６０％』に設定する。
【０３３３】
　このように、導光板ユニット１１の光量を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とともに操作ボタン５１６及び操作レバー６００を操作することで遊技者が調整可能とする場合は、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量の変化割合よりも少ない変化割合とすることで、遊技者設定値よりも導光板ユニット１１の光量が高くなるように調整されるので、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量調整によって、各導光板１１ａ，１１ｂの反射部５１０，５１１による第１画像や第２画像が視認し難くなってしまうことを防ぐことができる。
　・・・略・・・
【０３３７】
　また、前記実施例では、遊技中における所定のタイミングで演出を実行するために操作される操作レバー６００及び操作ボタン５１６を、スピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するために使用したが、本発明はこれに限定されず、これら操作レバー６００及び操作ボタン５１６とは個別に、スピーカ２７Ｌ，２７Ｒ，２７ａ，２７ｂから出力される音量と、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するため音量・光量設定用の操作部をパチンコ遊技機１の遊技者が操作可能な位置に設け、遊技者は、該操作部を操作することで、スピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄの光量とを設定するようにしても良い。
【０３３８】
　また、前記実施例では、大当り遊技中または小当り遊技中でなく、且つ保留記憶が存在せず演出図柄が変動していない場合に限り、遊技者が操作ボタン５１６を操作することで演出図柄プロセスフラグが０であり、保留記憶及び未解析コマンドが無い場合、つまり、大当り遊技中または小当り遊技中ではなく、保留記憶が存在せずに演出図柄の変動が実行されていない非遊技状態に限り、操作ボタン５１６を長押し操作することでスピーカ２７Ｌ，２７Ｒ，２７ａ，２７ｂから出力される音量と装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量を設定可能としたが、本発明はこれに限定されず、
演出図柄の変動中や大当り遊技中または小当り遊技中においても、
装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量を設定可能とし
（６）上記（１）の「【００１６】パチンコ遊技機１は、縦長の方形状に形成された外枠１００と、外枠１００に開閉可能に取り付けられた前面枠１０１と、で主に構成されている。・・・
【００２１】・・・前面枠１０１に対して着脱可能に取り付けられた遊技盤６が配置されている。・・・
【００２２】・・・演出表示装置（演出図柄表示装置）９が、遊技盤６に設けられた開口を介して目視できるように、該遊技盤６の背面に設けられている。」との記載より、
パチンコ遊技機１が、演出表示装置（演出図柄表示装置）９を備え
（７）上記（１）の「【００２３】・・・この演出表示装置９の前面側（前方側）には、演出表示装置９の表示と連携されるエフェクト画像が表示される導光板ユニット１１が配置されている。・・・」との記載、
　上記（４）の「【０２２５】・・・演出図柄変動開始処理において、・・・
【０２２８】・・・ステップＳ８２３に進み、予告演出を実施するか否かとともに、実施を決定した予告演出に関する設定を行う予告演出設定処理を実施する。
【０２２９】・・・ＣＰＵ８６がステップＳ８２３において予告演出を実施すると決定すると、予告演出を第１導光板１１ａを用いた予告演出Ａ、第２導光板１１ｂを用いた予告演出Ｂ、第１導光板１１ａ及び第２導光板１１ｂを用いた予告演出Ｃのいずれかに決定する。・・・
【０２３２】尚、これら各予告演出においては、導光板１１の発光とともに、装飾ＬＥＤ２５ａ、ステージ装飾ＬＥＤ２５ｂ、天ランプモジュール５３０、左枠ＬＥＤ２８ｂ、右枠ＬＥＤ２８ｃ等も、所定の点灯パターンにて点灯され、バックライト９ｄも点灯されることで、演出表示装置９における表示も実行される。・・・
【０２３５】・・・予告演出開始待ちタイマは演出図柄変動中処理（ステップＳ８０２）内にて実行される予告演出処理を実行する毎に−１されるようになっており、該予告演出開始待ちタイマがタイマアウトすることでステップＳ８２３において設定された予告演出が開始されるようになっている。」との記載より、
導光板ユニット１１は、演出図柄変動中の予告演出で発光する
（８）上記（１）ないし（７）からみて、引用例には、次の発明が記載されている。なお、ａないしｅについては本願発明のＡないしＥに概ね対応させて付与し、引用箇所の段落番号等を併記した。
「ａ　演出表示装置（演出図柄表示装置）９（上記（６））と、
　ｂ　演出表示装置９の前面側（前方側）に配置され、光を透過可能な透光性を有し演出表示装置９の表示画面を前面側から視認することができる第１導光板１１ａ及び第２導光板１１ｂを有し、各導光板１１ａ，１１ｂの端面に光を入射可能に設けられる発光体としての表示用ＬＥＤ６２ａ，６２ｂと、各導光板１１ａ，１１ｂの背面に所定の画像（静止画像）を表す態様にて設けられ、各導光板１１ａ，１１ｂの端面から内部に入射された表示用ＬＥＤ６２ａ，６２ｂからの入射光を誘導して前面から出射させることで画像を表示する反射部５１０，５１１と、から主に構成され、演出図柄変動中の予告演出で発光する導光板ユニット１１（【００２３】、【００８１】、【００８３】、上記（７））と、を備え、
　ｃ　導光板ユニット１１の光量（表示用ＬＥＤ６２ａ，６２ｂから出力される光量）を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量とともに遊技者が操作ボタン５１６及び操作レバー６００を操作することで調整可能とするものであり（【０３３０】）、
　具体的には、操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『７５％』に設定した場合は、導光板ユニット１１から出力される光量の遊技者設定値を『９０％』に設定し、
　操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『６５％』に設定した場合は、導光板ユニット１１から出力される光量の遊技者設定値を『８０％』に設定し、
　操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『５０％』に設定した場合は、導光板ユニット１１から出力される光量の遊技者設定値を『７５％』に設定し、
　操作ボタン５１６及び操作レバー６００を操作することで装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量の遊技者設定値を『３０％』に設定した場合は、導光板ユニット１１から出力される光量の遊技者設定値を『６０％』に設定できるものであり（【０３３２】）、
　ｄ　演出図柄の変動中や大当り遊技中または小当り遊技中においても、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光の光量を設定可能とする（【０３３８】）、
　ｅ　パチンコ遊技機１（【００１６】）。」（以下「引用発明」という。）
２　周知例
（１）原査定の拒絶の理由に引用文献２として引用され、本願の出願前に電気通信回線を通じて公衆に利用可能となった特開２０１８−１７５９９７号公報（平成３０年１１月１５日公開）（以下「周知例１」という。）には、遊技機（発明の名称）に関し、次の事項が図とともに記載されている。
　ア　「【技術分野】
【０００１】
　本発明は、ぱちんこ遊技機（一般的に「パチンコ機」とも称する）や回胴式遊技機（一般的に「パチスロ機」とも称する）等の
遊技機
　イ「【２０１３】
　また、選択画面で輝度調節が選択されると、これにより輝度調節処理（ステップＳ１１２３）が実行される。輝度調節処理では、扉枠５や遊技盤４の各装飾基板に設けられる複数のＬＥＤの輝度を７０％〜１００％まで５％刻みで調節できるように７段階の輝度に対応するように７つの目盛が表示され、ダイヤル操作部４０１の操作に応じて色付けされる目盛の表示を増減させることで扉枠５や遊技盤４の各装飾基板に設けられる複数のＬＥＤの輝度を調節できるとともに変更後の輝度を把握することができるようになっている。また、輝度調節処理においてダイヤル操作部４０１が操作されると、扉枠５や遊技盤４の各装飾基板に設けられる複数のＬＥＤの設定情報が即座に書き換えられ、扉枠５や遊技盤４の各装飾基板に設けられる複数のＬＥＤの輝度に反映される。そして、扉枠５や遊技盤４の各装飾基板に設けられる複数のＬＥＤの輝度の調節後に操作ユニット４００の押圧操作部４０５を操作するか、操作ユニット４００の非操作期間が所定期間（例えば２秒）に達すると設定モード割込処理が終了して設定モードを行うための画面を非表示にする。また、輝度調節処理においてもボリューム調節処理と同様に通常、
ダイヤル操作部４０１が操作されると扉枠５や遊技盤４の各装飾基板に設けられる複数のＬＥＤの設定情報が即座に書き換えられて、扉枠５や遊技盤４の各装飾基板に設けられる複数のＬＥＤの輝度に反映されるようになっているため、扉枠５や遊技盤４の各装飾基板に設けられる複数のＬＥＤの輝度を演出表示装置１６００
に表示される目盛だけでなく実際に扉枠５や遊技盤４の各装飾基板に設けられる複数のＬＥＤの明るさを見て確認しながら調節することができる
（２）原査定の拒絶の理由に引用文献３として引用され、本願の出願前に電気通信回線を通じて公衆に利用可能となった特開２０１７−６４２７４号公報（平成２９年４月６日公開）（以下「周知例２」という。）には、遊技機（発明の名称）に関し、次の事項が図とともに記載されている。
　ア　「【技術分野】
【０００１】
　本発明は、パチンコ遊技機やスロットマシン等の
遊技機
　イ　「【００５０】
　輝度設定は、所定の演出においてランプ９等の発光部（発光手段）の輝度の設定値である。ここで、所定演出とは発光部から所定の光を出力する演出であり、演出制御用ＣＰＵ１２０によって実行される。輝度設定は、遊技者によって設定される。例えば、
遊技者は、画像表示装置５の表示画面に表示される輝度設定用の表示を見ながら操作部を操作して、ランプ９から出力される光量を確認しながら輝度を調節する。
（３）上記（１）及び（２）からみて、次の事項が周知といえる。
「光源の光量を調整可能な遊技機において、表示装置に表示される目盛とともに、光源から出力される光量を確認しながら、光量を調整可能な遊技機。」（以下「周知技術」という。）
第５　対比
　本願発明と引用発明を対比する。
１　特定事項Ａ
　引用発明の「演出表示装置（演出図柄表示装置）９」は、本願発明の「主表示装置」に相当するから、引用発明のａは、本願発明の特定事項Ａに相当する。
２　特定事項Ｂ
　引用発明の導光板ユニット１１は、演出表示装置９（主表示装置）の前面側（手前側）に配置され、光を透過可能な透光性を有し演出表示装置９の表示画面を前面側から視認することができる第１導光板１１ａ及び第２導光板１１ｂを有し、各導光板１１ａ，１１ｂの端面に光を入射可能に設けられる発光体としての表示用ＬＥＤ６２ａ，６２ｂと、各導光板１１ａ，１１ｂの背面に所定の画像を表す態様にて設けられ、各導光板１１ａ，１１ｂの端面から内部に入射された表示用ＬＥＤ６２ａ，６２ｂからの入射光を誘導して前面から出射させることで画像を表示する反射部５１０，５１１と、から主に構成されているものである。
　そうすると、引用発明の導光板ユニット１１の第１導光板１１ａ及び第２導光板１１ｂは、反射部５１０，５１１で所定の画像を表示し、所定の画像が表示されない該反射部５１０，５１１以外の領域で光透過性を有するものである。
　してみると、引用発明の「導光板ユニット１１」は、本願発明の「前記主表示装置の手前側に設けられ、画像が表示されていない部分が光透過性を有する副表示装置」に相当するから、引用発明のｂは、本願発明の特定事項Ｂに相当する。
３　特定事項Ｃ
　引用発明の「『表示用ＬＥＤ６２ａ，６２ｂ』、『装飾ＬＥＤ２５ａ』、『ステージ装飾ＬＥＤ２５ｂ』、『天ランプモジュール５３０』、『左枠ＬＥＤ２８ｂ』、『右枠ＬＥＤ２８ｃ』又は『演出表示装置９のバックライト９ｄ』」は、本願発明の「発光部」に相当する。
　引用発明のｃにおいて、導光板ユニット１１の光量（表示用ＬＥＤ６２ａ，６２ｂ（発光部）から出力される光量）を、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄ（発光部）から出力される光量とともに、遊技者が操作ボタン５１６及び操作レバー６００を操作することで調整可能であり、引用発明のｄのように、演出図柄の変動中や大当り遊技中または小当り遊技中においても、すなわち、演出時においても調整可能であるから、引用発明は、本願発明の「Ｃ　演出時における発光部の光量を、遊技者の任意で増減させることが可能な光量調整機能」を備える。
４　特定事項Ｅ
　引用発明の「パチンコ遊技機１」は、本願発明の「遊技機」に相当するから、引用発明のｅは、本願発明の特定事項Ｅに相当する。
５　上記１ないし４からみて、本願発明と引用発明とは、
「Ａ　主表示装置と、
　Ｂ　前記主表示装置の手前側に設けられ、画像が表示されていない部分が光透過性を有する副表示装置と、
　Ｃ　演出時における発光部の光量を、遊技者の任意で増減させることが可能な光量調整機能と、
　を備える、
　Ｅ　遊技機。」である点で一致し、以下の点で相違する。
・相違点（特定事項Ｄ）
「前記光量調整機能により光量の調整がなされる際、」
　本願発明では、「光量の増減に伴って、前記副表示装置に表示される補助画像の明るさが変化する」のに対し、
　引用発明では、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量とともに、導光板ユニット１１（副表示装置）の光量（表示用ＬＥＤ６２ａ，６２ｂから出力される光量）を調整可能とするものの、本願発明のように、調整（光量の増減）に伴って導光板ユニット１１に表示される画像（補助画像）の明るさが変化するかどうか明らかでない点。
第６　判断
１　相違点について
（１）上記第４の２（３）で示したとおり、光源の光量を調整可能な遊技機において、表示装置に表示される目盛とともに、光源から出力される光量を確認しながら、光量を調整可能なことは周知技術である。該周知技術は、本願発明の特定事項Ｄのうち、「前記光量調整機能により光量の調整がなされる際、光量の増減に伴って、」発光手段の「の明るさが変化する」との特定事項を備えるといえる。また、テレビやＰＣ等の一般的なディスプレイにおいても、輝度や光量を調整する際に、ディスプレイに表示される目盛とともに、ディスプレイの実際の輝度や光量を確認しながら調整可能とすることは慣用されている。
（２）引用発明は、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄから出力される光量とともに、導光板ユニット１１（副表示装置）の光量、すなわち、表示用ＬＥＤ６２ａ，６２ｂから出力される光量を調整可能とするものであり、表示用ＬＥＤ６２ａ，６２ｂから出力される光量が増減すれば、導光板ユニット１１の反射部５１０，５１１から出力される光量も増減し、それに伴い、反射部５１０，５１１で表示される画像（補助画像）の明るさも変化することが明らかである。
（３）引用発明において、演出図柄の変動中においても、装飾ＬＥＤ２５ａ、ステージ装飾ＬＥＤ２５ｂ、天ランプモジュール５３０、左枠ＬＥＤ２８ｂ、右枠ＬＥＤ２８ｃ、演出表示装置９のバックライト９ｄ（以下「バックライト等」という。）から出力される光の光量を設定可能とするものであるところ、バックライト等の光量の調整とともにその光量を調整可能な導光板ユニット１１が演出図柄変動中の予告演出で発光するものであるから、演出図柄変動中に、バックライト等の光量の設定とともに、導光板ユニット１１の表示用ＬＥＤ６２ａ，６２ｂの光量も設定可能となすことは自明な事項である。そうすると、導光板ユニット１１の表示用ＬＥＤ６２ａ，６２ｂの光量の設定を変更すれば、上記（２）で示したとおり、導光板ユニット１１の反射部５１０，５１１で表示される画像（補助画像）の明るさも変化する。
　そして、引用発明と周知技術とは、光源の光量を調整可能な遊技機として技術分野が共通し、光源の光量を調整可能であれば、調整した光量を実際に目視で確認可能とすることは自明な課題であり、当該課題でも、引用発明と周知技術とは共通することは明らかであるから、引用発明と周知技術に接した当業者であれば、引用発明において、周知技術を当然考慮し得るものであり、ＬＥＤ等の光量調整がなされる際に、導光板ユニットの明るさの変化を確認できるようにしようとする着想に至るものである。
　してみると、引用発明において、導光板ユニット１１の反射部５１０，５１１で表示される画像（補助画像）の明るさを確認しながら光量を調整可能とするために、光量の調整がなされる際に、光量の増減に伴って、前記反射部５１０，５１１で表示される画像（補助画像）の明るさも変化するようになすことは、当業者が周知技術に基づいて容易になし得たことである。
（４）上記（１）ないし（３）からみて、引用発明において、上記相違点に係る本願発明の特定事項のようになすことは、当業者が周知技術に基づいて適宜なし得たことである。
（５）本願発明の奏する効果は、引用発明の奏する効果及び周知技術の奏する効果から、予測することができた程度のものである。
２　小括
　以上のとおり、本願発明は、引用発明及び周知技術に基づいて、当業者が容易に発明をすることができたものである。
３　請求人の主張について
（１）請求人は、審判請求書の「（３）原査定が取り消されるべき理由」において、以下のとおり主張している。
「３−１）審査では、『拒絶理由通知書においては、一方の光量調整の目安として、他方を利用することなど記載していない。』から、出願人の主張は採用することはできないと判断されておりますが、拒絶理由通知書に記載されたことを前提とした主張でなければ、採用することができないとする根拠が不明であります。
　主引用発明に対し副引用発明（周知技術）を適用することが容易であるか否かは、主引用発明や副引用発明として提示される文献等の記載に基づき判断されることが当然であって、拒絶理由通知にてなされた判断が前提となるものではありません。
　令和１年１１月８日付意見書にて行った出願人の主張は、これらの文献等の記載に基づくものでありますから、それを「拒絶理由通知書に記載されていない」ことを理由に退けることは誤りであります。
 
３−２）そもそも、令和１年９月３日付拒絶理由通知書にてなされた、主引用発明に対し副引用発明（周知技術）を適用することが容易であるとする論理構成は、『引用文献１に記載された発明において、導光板ユニットの明るさの変化を確認できるように、光量調整がなされる際、光量の増減に伴って、導光板ユニットの画像の明るさが変化するように構成することは当業者が容易に相当し得ることである。』というものであって、引用文献１の記載等が何ら参照されておらず、具体性に欠けるものであることは明らかです。
　例えば、『導光板ユニットの明るさの変化を確認できるように』するという目的が記載されておりますが、このような目的（このような着想に至る根拠）が主引用文献である引用文献１のどの記載から導き出せるのか全く提示されておりません。令和１年１１月８日付意見書にて記載しました通り、引用文献１記載の発明において、「導光板ユニット１１」の光量の変化割合と「その他ＬＥＤ等」の光量の変化割合とは大きくかけ離れた状態となることは明らかです（その根拠となる段落等は同意見書参照）から、引用文献１に接した当業者が、ＬＥＤ等の光量調整がなされる際に、『導光板ユニットの明るさの変化を確認できるように』しようとする着想には至らないはずです（なぜ、変化割合が大きくかけ離れた二つの要素について、一方を変化させた際に、他方を確認しようとする発想に至ることが容易であるのか不明である）。本願出願人は、前記拒絶理由通知書にてなされた判断は、「導光板ユニット１１」の光量の変化割合と「その他ＬＥＤ等」の光量の変化割合とは大きくかけ離れた状態となることが引用文献１に記載されている点が反映されていないから、前記意見書にて主張したものであります。
　このように、引用文献１に記載される発明に対し、引用文献２、３に記載される技術を適用することが容易であるとする十分な動機付けとなる要因が存在しないばかりか、適用を阻害する要因があることは明らかでありますから、本願請求項１，２に係る発明は引用文献１〜３の存在を理由として進歩性が否定されるものではありません。
 
３−３）なお、拒絶査定謄本では、『導光板ユニット１１の画像についても、光量が調整される際の光量の増減に伴って、当該画像の実際の明るさが変化するように構成することは当業者が容易に相当し得ることである。』とされており、『導光板ユニットの明るさの変化を確認できるように』するという記載が取り除かれて（変更されて）おります。つまり、拒絶査定謄本における拒絶査定とする理由の記載が、前記拒絶理由通知書の記載と相違していることは明らかです。「拒絶理由通知書に記載されていない」ことを理由に本願出願人の主張を退けているにも拘わらず、拒絶査定謄本における拒絶査定とする理由の記載を、先の拒絶理由通知における記載と異ならせることは不合理であると思料致します。」
（２）上記主張について検討する。
　ア　上記３−１）及び３−３）について
　原査定は、「拒絶理由通知書に記載されていない」ことのみを理由にしているわけではなく、引用文献１（引用例）に記載された発明及び周知技術に基づく、通知した拒絶の理由に基づいて、総合的に進歩性を判断していることは明らかである。そして、拒絶理由通知における記載と拒絶査定における記載とで異なる記載があったとしても、通知した拒絶の理由の趣旨の範囲内で当該趣旨を変えないものであれば、不合理であるとまではいえない。
　イ　上記３−２）について
　引用文献１（引用例）において、「導光板ユニット１１」の光量の異なり具合と「その他ＬＥＤ等」の光量の異なり具合とが異なることは程度問題のことであり、大きくかけ離れた状態といえるかどうかは主観的な事項にすぎず、大きくかけ離れた状態であるか否かに関する主張は、本願発明の特定事項に基づく主張ということができないから進歩性欠如を否定する根拠とはならない。そして、「その他ＬＥＤ等」及び「導光板ユニット１１」は、「その他ＬＥＤ等」と「導光板ユニット１１」の全体の光量を調整する際に、全体としての光量を見ながら調整するものであるから、引用文献１に接した当業者が、ＬＥＤ等の光量調整がなされる際に、導光板ユニットの明るさの変化を確認できるようにしようとする着想に至るものである。
　してみると、上記１で示したとおり、引用発明において、周知技術を考慮することについて十分な動機付けとなる要因が存在し、引用発明において周知技術を考慮することについて阻害する要因がないから、本願発明は引用文献１（引用例）及び周知技術の存在を理由として進歩性が否定されるものである。
　ウ　以上のとおり、請求人の上記主張は採用できない。
第７　むすび
　以上のとおりであるから、本願発明は、当業者が引用発明及び周知技術に基いて容易に発明をすることができたものであるから特許法第２９条第２項の規定により特許を受けることができない。
　したがって、本願は、他の請求項について検討するまでもなく、拒絶されるべきものである。
　よって、結論のとおり審決する。